(57)【特許請求の範囲】
【請求項１】
ワイヤレス・アクセス・ネットワークを用いたマシンタイプ通信の適用において少なくとも１つの端末の活性化を制御する方法であって、前記ワイヤレス・アクセス・ネットワークが数多くの位置領域を備え、該位置領域のそれぞれが複数のセルを備え、前記端末には前記ワイヤレス・アクセス・ネットワークには登録されていないネットワーク無関係識別子が割り当てられており、ネットワーク無関係識別子が、前記ワイヤレス・アクセス・ネットワークには含まれない、前記マシンタイプ通信のサービス・プロバイダのサーバに登録されており、前記方法が、
位置プロバイダから位置識別子を受信するステップであって、該位置識別子が前記位置領域のうち少なくとも１つについてのサブセットのセルを示している、ステップと、
少なくとも１つのブロードキャスト・メッセージを、前記示されたサブセットのセル内で少なくとも１つのセル・ブロードキャスト・チャネル上で送信することによって、前記位置識別子に基づいて前記少なくとも１つの端末の活性化を制御するステップであって、前記ブロードキャスト・メッセージが、前記位置プロバイダを介して前記サーバから受信した、前記少なくとも１つの端末に割り当てられた前記ネットワーク無関係識別子または前記ネットワーク無関係識別子の一部を収容する、ステップと、
を含む方法。
【請求項２】
請求項１に記載の方法において、前記ブロードキャスト・メッセージが少なくとも１つの活性化パラメータを含む、方法。
【請求項３】
請求項１または２に記載の方法であって、前記ブロードキャスト・メッセージを送信することにより端末の個体群の活性化を制御するステップを備えており、前記ブロードキャスト・メッセージが、前記複数の端末で共有される識別子としてのグループ識別子またはグループ識別子の一部を含む、方法。
【請求項４】
請求項１から３のうちのいずれか１項に記載の方法であって、少なくとも１つの位置領域の異なるサブセットで後続するブロードキャスト・メッセージを送信するステップを備える、方法。
【請求項５】
請求項１から４のうちのいずれか１項に記載の方法であって、
前記ブロードキャスト・メッセージの送信に続いて、前記ワイヤレス・アクセス・ネットワークとの接続を確立するために、端末発信要求メッセージを前記少なくとも１つの端末から受信するステップと、
前記少なくとも１つの端末との前記接続された接続を介してデータを交換するステップであって、前記少なくとも１つの端末から前記端末発信要求メッセージを受信する、ステップと、
を含む方法。
【請求項６】
請求項１から５のうちのいずれか１項に記載の方法であって、更に、
前記位置プロバイダにおいて、前記端末から端末位置情報を受信するステップを含む、方法。
【請求項７】
ワイヤレス・アクセス・ネットワークを用いたマシンタイプ通信の適用において少なくとも１つの端末の活性化を制御するように構成される活性化制御システムであって、前記ワイヤレス・アクセス・ネットワークが数多くの位置領域を備え、該位置領域のそれぞれが複数のセルを備え、前記端末には前記ワイヤレス・アクセス・ネットワークに登録されていないネットワーク無関係識別子が割り当てられており、ネットワーク無関係識別子が、前記ワイヤレス・アクセス・ネットワークには含まれない、前記マシンタイプ通信のサービス・プロバイダのサーバに登録されており、前記システムが、
位置プロバイダから位置識別子を受信するように構成される受信機であって、該位置識別子が前記位置領域のうち少なくとも１つについてのサブセットのセルを示す受信機と、
少なくとも１つのブロードキャスト・メッセージを、前記示された前記サブセットのセル内で少なくとも１つのセル・ブロードキャスト・チャネル上で送信することによって、前記位置識別子に基づいて前記少なくとも１つの端末の活性化を制御するように構成される活性化コントローラであって、前記ブロードキャスト・メッセージが、前記位置プロバイダを介して前記サーバから受信した、前記少なくとも１つの端末に割り当てられた前記識別子または識別子の一部を含む、活性化コントローラと、
を備えるシステム。
【請求項８】
請求項７に記載の活性化制御システムにおいて、
前記ブロードキャスト・メッセージが少なくとも１つの活性化パラメータを含む、システム。
【請求項９】
請求項７または８に記載の活性化制御システムにおいて、前記ブロードキャスト・メッセージを送信することにより複数の端末の活性化を制御するように構成され、
前記活性化コントローラが、前記ブロードキャスト・メッセージ内で、複数の端末で共有される識別子としてのグループ識別子またはグループ識別子の一部を含むように構成され、
任意で、前記システムが、時間内の異なる時点におけるサブセットのセルで、前記ワイヤレス・アクセス・ネットワークとの接続を確立するために、前記複数の端末のうち少なくとも２つから、端末発信要求メッセージを受信するように構成される受信機を備える、
システム。
【請求項１０】
請求項７または８に記載の活性化制御システムにおいて、更に、異なるサブセットのセルにおいて、前記ワイヤレス・アクセス・ネットアークとの接続を確立するために、端末発信要求メッセージを前記複数の端末のうち少なくとも２つから受信するように構成される、システム。
【請求項１１】
請求項７から１０のうちの１項に記載の活性化制御システムにおいて、更に、
少なくとも１つの位置領域の異なるサブセットにおいて後続のブロードキャスト・メッセージを送信するように構成される送信システムと、
前記端末発信要求メッセージを受信する受信元の前記少なくとも１つの端末との前記確立した接続を介してデータを交換するように構成されるデータ交換機と結合して、前記ワイヤレス・アクセス・ネットワークとの接続を確立するために、前記ブロードキャスト・メッセージの送信を後続する前記少なくとも１つの端末から端末発信要求メッセージを受信する受信機と、
前記位置プロバイダにおいて前記端末から端末位置情報を受信するように構成される受信機と、
のうちの少なくとも１つを備える、システム。
【発明の詳細な説明】
【技術分野】
【０００１】
本発明は、通信の分野に関するものである。より詳細には、本発明は、マシンタイプ(machine-type)通信のワイヤレス・アクセス・コミュニケーション環境において多数の端末の活性化制御を行うことの分野に関するものである。
【従来技術】
【０００２】
ワイヤレス・アクセス通信ネットワーク（例えば、ＧＳＭ（登録商標）、ＵＭＴＳ、ＬＴＥ）は、過去何年にもわたり大いに発展してきた。このようなネットワークでは、音声サービスおよびデータ・サービスを、高度な移動性を有する端末、例えば、ネットワークでカバーされるエリアを通じて自由に移動する端末に提供することができる。
【０００３】
移動体で終端する呼(mobile-terminated call)、即ち移動端末への呼に対し、ネットワークが端末の位置特定をして接続をセットアップすることが必須である。そのために、ネットワークが適当な位置で位置管理手続を行う。
【０００４】
通信ネットワークは、複数の位置領域（ＬＡ）に分割される。位置領域は、一般的に多数のセルを備え、１またはそれ以上のセルが基地局に関連付けられる。この領域を介して移動する端末は、その現在の位置領域に変更があるかどうかをネットワークに通知する。しかしながら、位置領域についてのナレッジは、一般的に、移動体終端呼をセットアップするのには十分なものではない。よって、移動体終端呼をセットアップする前に、端末の位置についてのより詳細な情報を入手すべきである。
【０００５】
一例として、着信呼がゲートウェイ移動スイッチング・センタ（ＧＭＳＣ）にたどり着き、コンタクトする移動端末のＭＳＩＳＤＮ番号を収容する。当該ＭＳＩＳＤＮ番号は、ホーム・ロケーション・レジスタ（ＨＬＲ）から位置情報を入手するのに用いられる。ＨＬＲは、ＭＳＩＳＤＮを用いて、現在、移動端末にサービス提供している移動スイッチング・センタ（ＭＳＣ）のアドレスを識別する。ＧＭＳＣは、次いで、このＭＳＣアドレスを用いて、現在、移動端末にサービス提供している呼要求をＭＳＣにルーティングする。ＭＳＣは、移動局が登録されている位置領域を判断し、メッセージを、当該位置領域内のセルを制御している全基地局コントローラ（ＢＳＣ）に送る。このメッセージは、移動端末のネットワーク識別（ＴＭＳＩまたはＩＭＳＩ）を収容し、その位置領域の全てのセル内に、ページング・チャネルＰＣＨ上のページング・メッセージとしてブロードキャストされる。移動端末は、定期的（例えば１秒間に数回）に、ページング・チャネルＰＣＨを監視し、ページング・メッセージを受信する。移動端末は、ページング・メッセージ中におけるＴＭＳＩまたはＩＭＳＩがそれ自身のＴＭＳＩまたはＩＭＳＩと一致することを認識したときに、ページング・メッセージに対して応答する。ＴＭＳＩまたはＩＭＳＩは端末に対して既知であり、当該ＩＭＳＩは、通例は、移動端末の加入者識別モジュール（ＳＩＭ）に格納される。
【０００６】
移動端末は、一般的に、ページング・メッセージに素早く応答することが必要とされる。なぜならば、さもなければ通話発信者が不安になる(hang up)かもしれないからである。それ故、移動端末は、ランダム・アクセス・チャネル（ＲＡＣＨ）上でチャネル要求を送信することにより、ページング・メッセージに応答することになる。このチャネル要求を受け取る基地局は、このとき、どのセルに移動端末が位置しているか、およびどのセルにネットワークが接続を確立するための無線リソースを割り当てているかを認識する。
【０００７】
上述した例は、ＧＳＭ（登録商標）ネットワークにおける移動体終端呼(mobile terminated call)の確立に基づくものであるが、他のワイヤレス・アクセス・ネットワーク、例えばＵＭＴＳやＬＴＥにおいても同様のステップが取られる。
【０００８】
上述したワイヤレス・アクセス・ネットワークの利用可能性(availability)について、所謂マシンタイプ通信（ＭＴＣ）のサービスに関係するようなサービスを含む、これらのネットワークを用いた更なるサービスが求められてきた。マシンタイプ通信は、現在、例えばＴＳ  ２２．３６８に参照される３ＧＰＰにおいて標準化されている。ＭＴＣの適用(application)には、通例、何百、何千、または何百万もの通信モジュールがかかわる。いくつかの適用が、まれに、通信ネットワークへのアクセスのみを要件とする。１つの例は、大規模顧客ベースの家庭における、例えばスマート電気メータからサーバにより情報を収集することにかかわる。他の例は、センサ、メータ、コーヒー・マシンなどを含み、これらは、通信ネットワークを介してデータ処理センタにステータス情報をレポートすることを可能にする通信モジュールを装備している。このようなデバイスは、また、サーバから監視することができる。データ処理センタは、例えば、データを格納することができ、マシン、メータ、センサなどを修理するために、保守要員(maintenance people)にスケジュールを提供することができる。
【発明の概要】
【発明が解決しようとする課題】
【０００９】
本発明は、ワイヤレス・アクセス・ネットワークを用いたマシンタイプ通信の適用において少なくとも１つの端末の活性化を制御する方法について説明する。ワイヤレス・アクセス・ネットワークは数多くの位置領域を備えており、当該位置領域のそれぞれが複数のセルを備えている。端末には１つの識別子が割り当てられている。第１に、位置識別子は、位置プロバイダから受信され、当該位置識別子が位置領域のうち少なくとも１つについてのサブセットのセルを示している。次いで、少なくとも１つの端末の活性化について、少なくとも１つのブロードキャスト・メッセージをロケーション識別子によって示されたサブセットのセル内で少なくとも１つのセル・ブロードキャスト・チャネルで送信することによって制御する。ブロードキャスト・メッセージは端末に割り当てられた識別子を収容しており、少なくとも１つの端末は、ブロードキャスト・メッセージがそれ自身に向けて意図されていることを伝えられる。
【００１０】
更に、このようなワイヤレス・アクセス・ネットワークを用いたマシンタイプ通信の適用において少なくとも１つの端末の活性化を制御するように構成される活性化制御システムを説明する。当該システムは、位置プロバイダから位置識別子を受信するように構成され、当該位置識別子が位置領域のうち少なくとも１つについてのサブセットのセルを示している。また、活性化コントローラは、少なくとも１つの端末の活性化について、少なくとも１つのブロードキャスト・メッセージを位置識別子で示されたサブセットのセル内で少なくとも１つのセル・ブロードキャスト・チャネル上で送信することによって制御するように構成し提供される。ここでは、ブロードキャスト・メッセージは、少なくとも１つの端末に割り当てられた識別子を収容する。
【００１１】
本説明において規定する方法およびシステムで動作するように構成されるマシンタイプ通信端末を更に説明する。当該端末は、セル・ブロードキャスト・チャネル上でブロードキャスト・メッセージを受信するための受信機、およびブロードキャスト・メッセージ内に収容される、端末に割り当てられた識別子が端末識別子に一致するときにブロードキャスト・メッセージを処理するためのプロセッサを備えており、当該識別子は任意でネットワーク無関係識別子である。当該端末は、端末の活性化を制御するためのコントローラを有しており、ブロードキャスト・メッセージについての後の処理に続いて、特に、ワイヤレス・アクセス・ネットワークとの接続を確立する。
【００１２】
活性化制御の方法およびシステムは、ワイヤレス・アクセス・ネットワークについて多数のセル・ブロードキャスト・チャネルを適用することができる点に留意すべきである。異なる端末は、好ましくは異なるＭＴＣプロバイダによって所有され、異なるセル・ブロードキャスト・チャネルに同調するようにプログラムしてもよい。
【００１３】
端末は、一般的に、ワイヤレス・アクセス・ネットワークとの接続を確立することを目的として活性化される。端末の活性化制御は、ブロードキャスト・メッセージを受信した後に端末の活性化を遅延させる可能性、および端末の活性化をスケジューリングする可能性を含んでもよい。
【００１４】
ＧＰＲＳにとって、位置領域ＬＡは、通例は、ルーティング領域（ＲＡ）と称されるのがふさわしい。本願では、位置領域（ＬＡ）とルーティング領域（ＲＡ）は、同義語として扱う。
【００１５】
本出願人は、多くのマシンタイプ通信（ＭＴＣ）適用について、端末の移動性は通常のワイヤレス電話よりもかなり低いと認識している。ＭＴＣ端末の位置は、実質的に固定とすることができ、即ち、端末は普段セルの外には移動しないものであるか、または最もふさわしくは、サブセットの限定されたセル内にあるとすることができる。端末をトリガする活性化制御メッセージをホーム・ロケーション・レジスタ（ＨＬＲ）および／またはビジタ・ロケーション・レジスタ（ＶＬＲ）からルーティング情報を抽出することなくどのセルでブロードキャストするかを判断するために、（おおよそ）知られる位置を有利に利用することができる。このことは、今度は、ＨＬＲおよび／またはＶＬＲ内に端末位置情報を格納する必要性を取り除き、且つ、位置管理手続の必要性を取り除く。このことは、かなりの蓄え(saving)を供給する。何故ならば、ＭＴＣ端末の数を、だいぶ多くすることができるからである。
【００１６】
ブロードキャスト・メッセージは、活性化メッセージを送信するのに現在用いられているページング・チャネルＰＣＨとは対照的に、セル・ブロードキャスト・チャネルＣＢＣＨを介してブロードキャストされる。この方法では、ページング・チャネルへの負荷は、かなり低減される。ブロードキャスト・メッセージをセル・ブロードキャスト・チャネルＣＢＣＨを介して端末に送信することは、ページング・メッセージを専用ページング・チャネルＰＣＨを介して端末に送信することに比べると遅いかもしれないが、本出願人は、この側面が多くのＭＴＣ適用にあまり関係しないということを認識している。ページング・チャネルＰＣＨを介して端末をページングする必要をなくすことにより、従来のワイヤレス電話から様々な制限を回避することができる。制約の例には、提供することができる命令タイプが含まれ、これには、（ＴＭＳＩやＩＭＳＩといった）ネットワーク関係識別子を用いることについての制約、ページへ応答するための厳格な時間の管理体制、およびページング・チャネルを頻繁に監視することについての要件がある。本発明の一実施形態の例としては、これら制約は、ブロードキャスト・メッセージで用いることができる広いレンジの活性化パラメータを含むのを避け（請求項２参照）、端末により、ランダム・アクセス・チャネル（ＲＡＣＨ）上でアクセス要求への応答を制限するのではなく、ネットワーク無関係識別子を用いて（請求項３）、ブロードキャスト・メッセージがどれに向けて意図されているかについての端末を示し、そしてブロードキャスト・メッセージへの直接応答を必要としない。更には、端末はセル・ブロードキャスト・チャネルを、あまり頻繁ではなく、または日や週の特定の定期的な時間の間にのみ、監視するようプログラムすることもできる。
【００１７】
サブセットのセルの位置識別子は、位置プロバイダから受信され、ブロードキャスト・メッセージを送る指示の前に、ワイヤレス・アクセス通信ネットワークに格納されるのがよい。格納される位置識別子は、次いで、サブセットのセルを識別するのに用いることができ、当該セル内において、端末の活性化を制御するブロードキャスト・メッセージが送信されるべきである。
【００１８】
更に、サブセット内のセルの数は通常少ないのがよい。ある端末は１つのセル内に位置するのが理想的である。しかしながら、セルの境界は、一般的に、完全に固定されておらず、ネットワーク運用者による再構成の支配下にあることがあり、また、例えば、環境要件に依ってある程度変動することもある。その結果、セル境界近くの実質的に固定位置にある端末は、時々、自身を異なったセルで見つけることもある。それ故、サブセットのセルの数は、１より大きく、即ち２、３、５又は１０に設定されることになる。
【００１９】
一般的に、位置識別子または複数の識別子は、端末が位置すると予期されるサブセットのセルに対応するように選択される。原則は、しかしながら、位置識別子は、サブセットのセルのみ指定し、そこでは、ブロードキャスト・メッセージはセル・ブロードキャスト・チャネルを通じて送信されるべきである。一例としては、組織がある領域、例えばある地方にわたり分散した複数の端末を所有するものの、端末の性格な位置に関しての詳細な情報を有していない。端末のグループにはグループ識別子が割り当てられ、共通のグループ識別子を有する端末が、領域にわたって適切に分散している。即ち、共通のグループ識別子を有する端末が同一のセルには位置していない。そのエリアのセル・ブロードキャスト・チャネル上で特定のグループ識別子に対しブロードキャスト・メッセージ、またはその後続のパーツを送信することによって、グループ識別子を割り当てられた端末の活性化が制御される。このような例においては、サブセットのセルの数をかなり大きくすることができる。
【００２０】
ブロードキャスト・メッセージが端末に対して指定されるかどうかを判断するために当該端末に割り当てられる識別子は、必ずしも、ワイヤレス・アクセス・ネットワークとの接続を確立するのに用いられるのと同一の識別子とは限らない。
【００２１】
上述のとおり、端末に割当たられた識別子は、必ずしも、ＴＭＳＩやＩＭＳＩといったネットワーク関係識別子、即ち、ネットワークが端末間を区別するのに用いる識別子とは限らない。ネットワーク無関係識別子の例には、端末の所有者が端末間を区別することができる適用(application)識別子が含まれている。ネットワーク無関係識別子の使用は、ワイヤレス・ネットワークの運用者によりこのような識別子を登録する必要性をなくす。
【００２２】
いくつかの端末は、共通グループ識別子、ネットワーク関係識別子、またはネットワーク無関係識別子が割り当てられており、それに基づいて端末のグループについての活性化を制御することができる。共通のネットワーク関係グループ識別子は、端末を引き続き活性化するといった基準(measure)を要求することもあり、その結果、ネットワークは、特に、端末が同一のセル内に位置している場合に、端末からの接続を確立するために受信した要求を適切に処理する。特に、活性化制御では、１つの端末が接続している期間中、同一のネットワーク関係識別子を有する別の端末による接続要求は、これらの端末が同一のセル内にあるときには発生させない。この制御は、隣接するセル内の端末にも拡張することができる。
【００２３】
複数の端末が個々の識別子を割り当てられている場合であっても、例えば、端末識別子の一部を、識別子の残りの部分が例えばアスタリスク（＊）のようにネットワークに関係しないものであるという指示と結合して示すことによって、多数端末は、単一のブロードキャスト・メッセージにより一度にセル・ブロードキャスト・チャネル上にアドレスすることができる。代替案には、レンジの使用が含まれる。これら識別子のタイプは、同様に、グループ識別子であるとも考えられる。
【００２４】
端末に割り当てられる識別子は、また、端末要件、例えば端末が適用するソフトウェアのバーション、または端末について定められた仕様とすることができる。
本明細書では以下に、本発明の一実施形態が更に詳細に説明される。しかしながら、当然のことながら、これらの実施形態が本発明の保護範囲を限定するものとして構成されるものではない。
【図面の簡単な説明】
【００２５】
【図１】図１は、本発明の一実施形態による、ＭＴＣ適用について、活性化制御システムが有するコンポーネントを収容するワイヤレス・アクセス通信ネットワークの概略図を示す。
【図２】図２は、例示の実施形態によるＭＴＣ通信についての概略図を示す。
【図３】図３は、図１のワイヤレス・アクセス通信ネットワークのセル構成についての概略図を示す。
【図４】図４は、図２のＭＴＣ端末の活性化を制御する方法が有するいくつかのステップを示す信号タイム・チャートである。
【発明を実施するための形態】
【００２６】
図１は、ＭＴＣ応用についてワイヤレス・アクセス通信ネットワーク１の概略図を示している。通信ネットワーク１は、パケット・データ・ネットワーク４を介した、サーバ２と端末３との間のデータ・セッションを可能とし、ここで端末の通信ネットワーク１へのアクセスはワイヤレスである。ＭＴＣ環境において、単一のサーバ２が、通常多数の端末３との通信に用いられる。
【００２７】
特に、図１は、ゲートウェイＧＰＲＳサポート・ノード（ＧＧＳＮ）、サービングＧＰＲＳサポート・ノード（ＳＧＳＮ）および無線アクセス・ネットワーク（ＲＡＮもしくはＵＴＲＡＮ）を備えるＧＰＲＳまたはＵＭＴＳの通信ネットワークについて示している。ＧＳＭ／ＥＤＧＥ無線アクセス・ネットワーク（ＧＥＲＡＮ）について、ＲＡＮは、複数の基地局トランシーバ（ＢＴＳ）に接続された基地局コントローラ（ＢＳＣ）を備えるが、共に図示していない。ＵＭＴＳ無線アクセス・ネットワーク（ＵＴＲＡＮ）について、ＲＡＮは、複数のＮｏｄｅＢに接続された無線ネットワーク・コントローラ（ＲＮＣ）を備えるが、同様に図示していない。ＧＧＳＮおよびＳＧＳＮは、慣習上ホーム・ロケーション・レジスタ（ＨＬＲ）に接続され、当該ＨＬＲは、端末３の加入情報を収容することができる。
【００２８】
このようなネットワークに対し、通例はＳＧＳＮが通信ネットワーク１および端末３の間の接続を制御する。通信ネットワーク１は、一般的に複数のＳＧＳＮを備えることが望ましく、当該ＳＧＳＮのそれぞれが、通例はいくつかのＢＳＣ／ＲＮＣに接続して、いくつかの基地局／ＮｏｄｅＢを介して端末３に対しパケット・サービスを提供する。
【００２９】
ＧＧＳＮは、パケット・データ・ネットワーク４、例えばインターネット、法人ネットワーク、または他の運用者のネットワークに接続される。その一方で、ＧＧＳＮは、１またはそれ以上のＳＧＳＮに接続される。
【００３０】
ＧＧＳＮは、ネットワーク４を介してサーバ２から端末３に向けられたデータ・ユニットを受信し、および端末３から受信したサーバ２へのデータ・ユニットを送信するように構成される。
【００３１】
ネットワーク１は、ショート・メッセージ・サービス・セル・ブロードキャスト（ＳＭＳＣＢ）とも称されるセル・ブロードキャスト・センタＣＢＣを備える。セル・ブロードキャストの技術情報については、ＴＳ２３．０４１に開示されており、本願においてこの全体を包含するものとする。セル・ブロードキャスト・メッセージが送信される地理的領域は、地理的範囲（ＧＳ;Geographical Scope）の指標(identifier)により示される。
【００３２】
図２は、本発明の一実施形態によるＭＴＣ端末３の概略図である。端末３は、コントローラ１１による指示に基づきセル・ブロードキャスト・チャネルを受信するための受信機１０を備える。一旦ブロードキャスト・メッセージを受信すると、プロセッサ１２は、メッセージ内に収容される指標がローカルに利用可能な端末指標に対応するか否かについて、ブロードキャスト・メッセージを処理する。端末指標は、ネットワークに関係するＩＤとすることができ、例えば端末３のストレージ・モジュールに格納するＩＭＳＩとすることができるが、ネットワークに無関係の識別子、例えば、ＭＴＣサービス・プロバイダによって割り当てられ、端末３のストレージ・モジュールに格納される適用識別子または端末識別子とすると有利である。ブロードキャスト・メッセージに収容される識別子が端末識別子に対応すると、プロセッサ１２は更にブロードキャスト・メッセージを処理する。これは、活性化パラメータといった特定の指示に対するブロードキャスト・メッセージを分析すること、並びに、時間におけるある時点でこれらの指示を格納しおよび／または実行することを含むことができる。
【００３３】
ブロードキャスト・メッセージは、必ずしも更なる命令を収容しない。端末３は、ブロードキャスト・メッセージがセル・ブロードキャスト・チャネルを通じて受信されると、当該メッセージを単に受信したことが、好ましくは事前にプログラムされた時間遅延の後に、端末３について更なる活性化のトリガになるようにプログラムされる。
【００３４】
活性化の１つの例は、無線アクセス・ネットワークＲＡＮとの接続を確立し、好ましくはＰＤＰコンテキストのセットアップをするために、送信機１３を用いて要求を送信して、サーバ２とデータを交換する。
【００３５】
通信ネットワーク１の動作について、これから図３および４を参照して更に詳細に説明する。
図３は、通信ネットワーク１のルーティング領域ＲＡについての概略的な例を示しており、ＲＡＮの基地局ＢＳがセルＣを規定することを示している。ＭＴＣ通信端末３Ａ−３Ｄはより色の濃いセルＣによって示されるサブセットＳ内に設けられている。端末３Ａおよび３Ｂが同一のセルＣ１内に位置している。端末３Ｃおよび３Ｄがそれぞれ更なるセルＣ２およびＣ３内に位置している。
【００３６】
例示的な実施形態では、端末３Ａ−３Ｄが同一のＩＭＳＩを有しており、当該ＩＭＳＩを用いてワイヤレス・アクセス・ネットワーク３との接続を確立するようにプログラムされていることが想定される。これには、ＨＬＲが、全ての端末３Ａ−３Ｄについて単一のＩＭＳＩエントリを格納することを要件とする。
【００３７】
更に、端末３Ａ−３Ｄには、セル・ブロードキャスト・チャネルに対する端末の活性化を制御するために、それぞれ識別子ＩＤ＿Ａ、ＩＤ＿Ｂ、ＩＤ＿ＣおよびＩＤ＿Ｄが割り当てられている。これらの識別子はネットワークに無関係の識別子、即ち、通信ネットワーク１内に登録しておく必要がない識別子、例えば適用(application)識別子であることが想定されよう。
【００３８】
組織適用サーバ(organization applying server)２は、端末３Ａ−３ＤがサブセットＳ＝｛Ｃ１，Ｃ２，Ｃ３，Ｃ４｝に示されるセル内にあることを認識しており、端末３Ａ、３Ｂ、３Ｃとデータを交換するが、端末３Ｄとはしないことを要求する。端末３Ｃの正確な位置については、認識していないが、例えば、履歴データに基づいてセルＣ２、Ｃ３、Ｃ４のうち１つに位置することがありえると認識している。それを受けて、ステップ４０で、セル・ブロードキャスト要求がサーバ２から位置識別子を有するＣＢＣに送られる。当該位置識別子は、ブロードキャスト・チャネルにおいてどのセルＣ（つまり、Ｃ１，Ｃ２，Ｃ３，Ｃ４）内でブロードキャスト・メッセージが送信されるべきかを示す。勿論、端末３はセル・ブロードキャスト・チャネルをリスン(listen)するようにプログラムされる。サーバ２は、また、端末３Ａ−３Ｃを示し端末３Ｄを排除するために、活性化する端末に割り当てられる識別子を、ＩＤ＿Ａ．．．Ｃのレンジを提供することにより端末に送る。その代替として、端末３Ｄからの応答を排除するために、且つ、端末３ＣがセルＣ２に位置するのに最もふさわしいと認識されているとした場合に、ブロードキャスト・メッセージがサブセットＳ＝｛Ｃ１，Ｃ２｝に送られ得るだろう。
【００３９】
ステップ４１で、ＣＢＣは要求をＲＡＮに、特にその基地局ＢＳに送り、サブセットＳのセルＣについてブロードキャスト・チャネル上のブロードキャスト・メッセージを送る。ブロードキャスト・メッセージは、当該ブロードキャスト・メッセージが向けて意図されている端末を示すための識別子ＩＤ＿Ａ．．．Ｃを含む。
【００４０】
ステップ４２で、端末３Ａ−３Ｄはブロードキャスト・メッセージを受信する。受信したブロードキャスト・メッセージを処理すると、端末３Ａ−３Ｃは、ブロードキャスト・メッセージ中の識別子（例えば、ＩＤ＿Ａ．．．Ｃ）がローカル適用識別子（例えば、各３Ａ、３Ｂ、３ＣについてのＩＤ＿Ａ、ＩＤ＿Ｂ、ＩＤ＿Ｃ）に対応することを判断したときには更に、ブロードキャスト・メッセージを処理することになる。端末３Ｄは、ブロードキャスト・メッセージを更に処理することはしない（図４で端末３Ｄにおける×印で示される）。なぜならば、ブロードキャスト・メッセージは、ＩＤ＿Ｄというローカル適用識別子に対応するを収容していないからである。
【００４１】
端末３Ａおよび３Ｃは、サブセットＳの同一セルＣにはないものであり、ステップ４３で示されるように、実質的に同時に活性化することができ、また、同一のＩＭＳＩを用いたＰＤＰコンテキストの確立を要求することができる。ステップ４４でいつくかのメッセージを交換することを描いているように、これからデータ交換を実施することができる。
【００４２】
端末３Ｂは、端末３Ａと同一のセルＣ１にあるものであるが、活性化することはできず、端末３Ａとの接続を同時に有することはできない。なぜならば、双方の端末は同一のＩＭＳＩを用いているからである。それ故、端末３Ｂの活性化が制御され、ステップ４５で示されるように、ブロードキャスト・メッセージを受信し処理した後の幾分の遅延ΔＴの後に、端末３ＢはＰＤＰコンテキストの確立するための要求のみを送る。ステップ４６は端末３Ｂとサーバ２との間のデータ交換メッセージについて示す。
【００４３】
端末３Ａおよび３Ｂの間の活性化の振る舞いの違いは、セル・ブロードキャスト・チャネルを通じて受信したブロードキャスト・メッセージにおける例えば時間遅延ΔＴといった活性化パラメータを含めることにより受け入れられる。その代替として、端末３Ａ、３Ｂは端末３Ｂがブロードキャスト・メッセージを受信し処理した後に予め決められた時間ΔＴ待つ一方で端末３Ａは即座に応答するように、事前にプログラムされる。ランダムな時間間隔は、また、端末の活性化が衝突(conflict)する静的機会を減らすために用いることができる。
【００４４】
組織適用サーバ２の端末が存在する領域は、図３に示すものよりも大きくすることができる。この場合、ブロードキャスト・メッセージは、セルＣの更なるサブセットＳ内に実質的に送信されて、セルのこの更なるサブセット内の端末３の活性化を制御することができる。この手法においては、また、活性化された端末３の数を制御することができる。
【００４５】
位置情報は、運用者によるまたは端末３が移動する時々における、セルＣの再構成によって変化する場合がある。あるメカニズムを導入することができ、ここでは、端末３の位置が、例えば１またはそれ以上の識別子の記録に基づいて更新され、当該記録を介して、近接過去において所与の端末が接続を確立する要求を出してサーバ２とデータを交換してきている。このことは、損失した端末を追跡し、または端末の位置の更新を端末に送らせるようにプログラムするために、最終的には、ネットワークの全てのセルで、定期的な、臨時の、または便乗した(opportunistic)要求を導入することで更に補足することができる。この情報は、サーバ２内に格納し、または通信ネットワーク内に格納することができる。
【００４６】
上述した実施形態により、端末について一意のＭＳＩＳＤＮ番号を提供し、および通信ネットワーク運用者にこれらの端末を活性化するために端末の位置を登録する必要性を低減させる。グループ識別子の使用、（部分的な）ワイルドカードの使用、およびレンジの使用といったような多数端末のアドレッシングは、セル・ブロードキャスト・チャネル上で送信されるブロードキャスト・メッセージの負荷を低減して、端末の個体群(population)を活性化する。ブロードキャストは、端末が位置すると予想されるそれらセルをターゲットにすることができる。これらセルについてのナレッジは、また、履歴データから獲得することもできる。一方で、活性化要求は、通信ネットワークを介して、セル・ブロードキャスト・チャネルを用いて形成され、データ接続は、端末によって開始される。
【００４７】
本発明の一実施形態は、コンピュータ・システムを用いたプログラム製品とすることができる。本プログラム製品のプログラムは、（本明細書に記載される方法を含んだ）実施形態の機能を規定し、コンピュータ可読ストレージ媒体の変形を含むことができる。実例となるコンピュータ可読ストレージ媒体は、（ｉ）書き込み可能ではないストレージ媒体（例えば、ＣＤドライブで読み出し可能なＣＤ−ＲＯＭディスクといったコンピュータ内のリード・オンリ・メモリ・デバイス、フラッシュ・メモリ、ＲＯＭチップ、またはあらゆる種類の固体素子の不揮発性半導体メモリ）、および（ｉｉ）変更可能な情報が格納されている書き込み可能ストレージ媒体（例えば、ディスク・ドライブ内若しくはハードディスク・ドライブ内のフロッピー（登録商標）・ディスク、またはあらゆる種類の固体素子のランダム・アクセス半導体メモリ）を含むがこれに限定されない。
【図１】
0005847067.tif 000002
【図２】
0005847067.tif 000003
【図３】
0005847067.tif 000004
【図４】
0005847067.tif 000005